(57)【要約】【課題】内容物の減少に合わせて段階的にコンパクトに折り畳むことで、ボトル内容量を調整することができる容量可変ボトル容器を提供すること。【解決手段】飲み口２０と、上側胴部３０と、下側胴部４０と、前記上側胴部及び前記下側胴部よりも径の小さい中央胴部５０と、前記飲み口と前記上側胴部とを繋ぐ第一連結部６０と、前記上側胴部と前記中央胴部とを繋ぐ第二連結部７０と、前記中央胴部と前記下側胴部とを繋ぐ第三連結部８０とを備え、前記第一連結部、前記第二連結部、及び前記第三連結部が、それぞれ反転することにより内容量を調整することができる容量可変ボトル容器１０とした。【選択図】図１
0003194074.tif 000002
【実用新案登録請求の範囲】
【請求項１】
飲み口と、上側胴部と、下側胴部と、前記上側胴部及び前記下側胴部よりも径の小さい中央胴部と、前記飲み口と前記上側胴部とを繋ぐ第一連結部と、前記上側胴部と前記中央胴部とを繋ぐ第二連結部と、前記中央胴部と前記下側胴部とを繋ぐ第三連結部とを備え、
前記第一連結部、前記第二連結部、及び前記第三連結部が、それぞれ反転することにより内容量を調整することができる容量可変ボトル容器。
【請求項２】
前記第一連結部、前記第二連結部、及び前記第三連結部の材料は、可撓性材料であることを特徴とする請求項１に記載した容量可変ボトル容器。
【請求項３】
前記中央胴部には、円環状部材が設置されていることを特徴とする請求項１または請求項２に記載した容量可変ボトル容器。
【考案の詳細な説明】
【技術分野】
【０００１】  本考案は、持ち運び可能な飲料用の液体等を入れるための容器に関する。さらに言えば、段階的にコンパクトに折り畳むことで、段階的に容器の内容量及びサイズを調整することができる容量可変ボトル容器に関する。
【背景技術】
【０００２】  お茶や水などの飲料水は、容量５００ｍＬ程度の携帯可能な大きさのペットボトル等で販売されており、ユーザは、ペットボトルをそのまま水筒の代替品として携帯し、使用後は廃棄していた。しかし最近は、ペットボトルを廃棄することが、エコの観点から見直されており、いわゆるマイボトルを持参する傾向がみられる。【０００３】  ところで、ジョギング愛好家等は、熱中症防止の観点からも、トレーニング途中で水分を摂取する必要があり、例えば、水分を補給する必要がある際に、付近に自動販売機や水道等が無い場合であっても、いつでもどこでも必要な水分を摂取できるように、常に飲料水等を携帯しておく必要がある。常に携帯するという観点から、飲み干したボトル容器は、コンパクトに収納することができる事が好ましく、また、エコの観点から、使用後、何度も繰り返して使用する事ができる「いわゆるマイボトル」があれば好ましいと考えていた。【０００４】  特許文献１の如く、口部，胴部，底部を備えたボトルであって、胴部は蛇腹形状をしており、使用時には、胴部の蛇腹形状を上下方向に伸ばすことで、内部に飲料水等を蓄えておくための空間が形成されて、飲料物等を蓄えておくことができると共に、使用後は、上下方向に圧縮変形させることにより収納できる、折り畳み可能なボトル容器が提案されている。
【先行技術文献】
【特許文献】
【０００５】
【特許文献１】  特開平２０１１−１３１８９０
【考案の概要】
【考案が解決しようとする課題】
【０００６】  しかしながら、特許文献１に係るボトル容器では、内容物である飲料水等が完全に無くなってから、始めて折り畳むことができるのであって、内容物である飲料水等が完全に無くなる途中で段階的に折り畳むことができない。即ち、ジョガーがジョギング中に少しずつ水分を補給していくような場合、ボトル容器の中の飲料水等の減少に伴って、ボトル容器の内容量を段階的に減少させることができない。【０００７】  内容物である飲料水が減少したにもかかわらず、ボトル内容量がそのままであれば、ジョギング中の上下振動により内容物が撹拌され、飲料水自体が泡立ってしまい、飲む人にとって好ましくないし、上下に長いボトル容器に少量の飲料水等が、入っている状態であるので、少しボトル容器を傾けただけで、飲料水の位置が必要以上に高くなり（位置エネルギーが大きくなり）勢い良く口元に飲料水等が流れ込んできて、口から外にあふれ出てしまう虞もあり好ましくない。特に、走りながら飲料水を飲むような場合は、極めて飲みにくい状態になってしまう。【０００８】  本考案の目的は、内容物である飲料水等の減少に合わせて段階的にコンパクトに折り畳むことで、内容量を調整することができる容量可変ボトル容器を提供することにある。
【課題を解決するための手段】
【０００８】  請求項１に記載した考案は、飲み口と、上側胴部と、下側胴部と、前記上側胴部及び前記下側胴部よりも径の小さい中央胴部と、前記飲み口と前記上側胴部とを繋ぐ第一連結部と、前記上側胴部と前記中央胴部とを繋ぐ第二連結部と、前記中央胴部と前記下側胴部とを繋ぐ第三連結部とを備え、前記第一連結部、前記第二連結部、及び前記第三連結部が、それぞれ反転することにより内容量を調整することができる容量可変ボトル容器であることを特徴とするものである。【０００９】  請求項２に記載した考案は、請求項１に記載した考案において、第一連結部、第二連結部、及び第三連結部の材料は、可撓性材料である容量可変ボトル容器であることを特徴とするものである。【００１０】  請求項３に記載した考案は、請求項１又は請求項２に記載された考案において、中央胴部には、円環状部材が設置されている容量可変ボトル容器であることを特徴とするものである。
【考案の効果】
【００１１】  本願請求項１及び請求項２係る考案によれば、第一連結部、第二連結部、及び第三連結部が可撓性材料であるため、それぞれを独自に反転させることにより、ボトル容器の内容量を調整することができるので、内容物である飲料水等の残量に合わせて、ボトル容器の内容量を自由自在に変えることができる。【００１２】  例えば、ジョギング中に少しずつ水分を補給していくような場合、飲料水の減少に合わせて、ボトル内容量を段階的に減少させることができるため、ジョギング中の上下振動による飲料水等の撹拌を最小限に抑え、飲料水が泡立つのを抑えることができるし、飲料水の位置が必要以上に高くなるのを抑え、（位置エネルギーが大きくなるのを抑え）勢い良く口元に飲料水等が流れ込んできて、口から外にあふれ出てしまうのを防止することができる。さらに言えば、ジョギングの途中で湧水等を見つけて、水分を補給するような場合、逆に、ボトル内容量を段階的に増やすこともできる。【００１３】  本願請求項３に係る考案によれば、中央胴部には、剛性を持った円環状部材が設置されているため、例えば、容量可変ボトル容器が全てシリコンゴムのような可撓性材料からできている場合であっても、剛性のある円環状部材の部分を持って飲めば、容器を持った時にかかる力により内容物が溢れ出てしまうことが無い。
【図面の簡単な説明】
【００１４】
【図１】容量可変ボトル容器の折り畳み前（最大容量）の正面断面図である。
【図２】容量可変ボトル容器の折り畳み後（最少容量）の正面断面図である。
【図３】容量可変ボトル容器の使用状態を表す正面図である。
【図４】変更例としての容量可変ボトル容器の正面図である。
【考案を実施するための形態】
【００１５】＜容量可変ボトル容器の構造＞
以下、本考案に係る容量可変ボトル容器１０について、図１〜図４を参照しつつ詳細に説明する。図１は、容量可変ボトル容器１０の折り畳む前で最大容量を持った状態の正面断面図である。本考案に係る容量可変ボトル容器１０は、飲み口２０と、上側胴部３０と、下側胴部４０と、上側胴部及び前記下側胴部よりも径の小さい中央胴部５０と、飲み口２０と上側胴部３０とを繋ぐ第一連結部６０と、上側胴部３０と中央胴部５０とを繋ぐ第二連結部７０と、中央胴部５０と下側胴部４０とを繋ぐ第三連結部８０を備えている。本考案に係る容量可変ボトル容器１０の素材は可撓性を有するシリコンゴムである。
【００１６】  図２は、本考案に係る容量可変ボトル容器１０の折り畳んだ後の最少容量を持った状態の正面断面図である。容量可変ボトル容器１０の内容物である飲料水等を飲み終えて内容物が無くなった際、可撓性を有する第一連結部６０と、第二連結部７０と、第三連結部８０を、それぞれ独自に反転させることにより、自由自在に折り畳むことで内容量を調整することができるようになっている。また、図１及び図２に記載してあるように、中央胴部５０を覆うように、剛性を有する円環状部材９０が設置されている。
【００１７】＜容量可変ボトル容器の使用方法＞
図３は、本考案に係る容量可変ボトル容器１０の使用状態を表す正面図である。図３（ａ）は、容量可変ボトル容器１０内が飲料水等で満たされている場合（フルサイズ）の状態である。ジョギング中に水分を補給するために、飲料水を少し飲んで、飲料水量が減少した際には、図３（ｂ）のように第二連結部７０を反転させることにより、ボトル内容量を減少させ、飲料水量の減少に合わせてボトルの内容量を調整する。さらに、図３（ｃ）のように第二連結部７０に加え、第三連結部８０も反転させて、さらなる飲料水の減少に合わせてボトル内容量を調整する。全て飲み切ってしまった際には、最終的に、図３（ｄ）のように第一連結部６０も反転させて、コンパクトに折り畳んでしまい、ポケットやウエストバック等に入れて携帯することができる。登山、ハイキング、海水浴等のアウトドア、レジャー時の使用においても、飲み終わった後や途中まで飲んだ場合に、容器の体積を減らすことで、バッグや鞄等の中に、スペースを生み出すことができるようになる。
【００１８】＜容量可変ボトル容器の効果＞
本考案のポイントは、内容物の減少に合わせて段階的にコンパクトに折り畳むことで、ボトル内容量を調整することができる容量可変ボトル容器１０を提供することである。本願係る容量可変ボトル容器１０を使用すれば、第一連結部６０、第二連結部７０、及び第三連結部８０が可撓性材料であるため、それぞれ独自に反転することにより内容量を調整することができるので、飲料水などの残量に合わせて、容器の内容量を自由自在に変えることができる。
【００１９】  ジョギング中に少しずつ水分を補給していくような際、飲料水の減少に合わせて、ボトル内容量を減少させることができるため、ジョギング中の上下振動により内容物の撹拌を最小限に抑え、飲料水中の泡の発生を抑えることができし、急に口元に流れ込んできて口から外にあふれ出てしまうのを防止することができる。
【００２０】  そして、中央胴部５０の周りには、剛性を持った円環状部材９０が設置されているため、例えば、容量可変ボトル容器１０が、全てシリコンゴムのような可撓性材料からできている場合であっても、剛性のある円環状部材９０の部分を持って飲めば、ボトル容器を持った時にかかる圧力により飲料水等が押し出されて溢れ出てしまうことが無い。さらに、円環状部材９０があることで折りたたみ作業がスムーズになるという効果もある。
【００２１】＜容量可変ボトル容器の変更例＞
本考案に係る容量可変ボトル容器１０の構成は、上記実施形態の態様に何ら限定されるものではなく、飲み口２０、上側胴部３０、中央胴部４０、下側胴部５０、第一連結部６０、第二連結部７０、第三連結部８０、円環状部材９０等の構成を、本発明の趣旨を逸脱しない範囲で、必要に応じて適宜変更することができる。例えば、中央胴部５０の周りに、円環状部材９０を設置する代わりに中央胴部５０自体の剛性を高めることで折りたたみをスムーズにし、内容物（飲み物）の噴き出しを防ぐこともできる。
【００２２】  さらに、実施例に係る容量可変ボトル容器１０よりも、ボトル内容量を増やしたい場合、図４のように、さらに連結部を増やすとともに、中央胴部４０及び円環状部材９０についても複数個所設置することで対応できるし、円環状部材９０側面の一か所を縦方向に貫通させることで、円環状部材９０が開いて、本体から円環状部材９０を取り外すことができるようにすることができるし、円環状部材９０自体を部分的に型抜きして、円環状部材９０自体の軽量化を図ることができる。また、容量可変ボトル容器１０の断面形状は、本実施形態においては、円形となっているが、三角形、四角形、五角形、六角形等の多角形であっても良い。
【産業上の利用可能性】
【００２３】  本考案に係る容量可変ボトル容器は、上記の如く優れた効果を奏するものであるので、ボトル内容量に合わせて、段階的に調整することができる容量可変ボトル容器として、ジョギング時等に好適に用いることができる。
【符号の説明】
【００２４】１０・・容量可変ボトル容器
２０・・飲み口
３０・・上側胴部
４０・・中央胴部
５０・・下側胴部
６０・・第一連結部
７０・・第二連結部
８０・・第三連結部
９０・・円環状部材
【図１】
0003194074.tif 000003
【図２】
0003194074.tif 000004
【図３】
0003194074.tif 000005
【図４】
0003194074.tif 000006
【手続補正書】
【提出日】平成26年8月13日(2014.8.13)
【手続補正１】
【補正対象書類名】実用新案登録請求の範囲
【補正対象項目名】全文
【補正方法】変更
【補正の内容】
【実用新案登録請求の範囲】
【請求項１】
飲み口と、上側胴部と、下側胴部と、前記上側胴部及び前記下側胴部よりも径の小さい中央胴部と、前記飲み口と前記上側胴部とを繋ぐ第一連結部と、前記上側胴部と前記中央胴部とを繋ぐ第二連結部と、前記中央胴部と前記下側胴部とを繋ぐ第三連結部とを備え、前記第一連結部、前記第二連結部、及び前記第三連結部が可撓性を有するシリコンゴムで構成されており、それぞれ反転することにより内容量を調整することができる容量可変ボトル容器。
【請求項２】
前記中央胴部には、円環状部材が設置されていることを特徴とする請求項１に記載した容量可変ボトル容器。
【手続補正２】
【補正対象書類名】明細書
【補正対象項目名】０００８
【補正方法】変更
【補正の内容】
【０００８】  請求項１に記載した考案は、飲み口と、上側胴部と、下側胴部と、前記上側胴部及び前記下側胴部よりも径の小さい中央胴部と、前記飲み口と前記上側胴部とを繋ぐ第一連結部と、前記上側胴部と前記中央胴部とを繋ぐ第二連結部と、前記中央胴部と前記下側胴部とを繋ぐ第三連結部とを備え、前記第一連結部、前記第二連結部、及び前記第三連結部が可撓性を有するシリコンゴムで構成されており、それぞれ反転することにより内容量を調整することができる容量可変ボトル容器であることを特徴とするものである。
【手続補正３】
【補正対象書類名】明細書
【補正対象項目名】０００９
【補正方法】変更
【補正の内容】
【０００９】請求項２に記載した考案は、請求項１に記載した考案において、前記中央胴部には、円環状部材が設置されている容量可変ボトル容器であることを特徴とするものである。